(57)【特許請求の範囲】
【請求項１】
伝送ノードはデータ伝送モード情報を取得し、データ伝送モード情報は高速データ伝送モードを含み、前記高速データ伝送モードは時間領域シンボルに基づいてデータ伝送の時間領域長さを設定することを含み、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含むことと、
前記伝送ノードは取得したデータ伝送モードによりデータを伝送することと、を含み、
前記時間領域シンボルのサブフレームでの時間領域エリアの確定方法は、
送信されたシグナリングが指定した位置情報に基づいて、前記時間領域シンボルの時間領域開始位置を確定すること、
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定されることであり、
前記データチャネルと対応する制御チャネルとの間の関係は、
前記データチャネルの時間領域シンボルの時間領域開始位置はその対応する制御チャネルの時間領域シンボルの時間領域終止位置に隣接し、この場合、前記データチャネルとその対応する制御チャネルとは同じ周波数領域位置を有し、又は両者は異なる或いは一部が同じである周波数領域位置を有すること、又は、
前記データチャネルの時間領域シンボルとその対応する制御チャネルの時間領域シンボルとは同じ時間領域開始位置を有し、且つデータチャネルの時間領域長さは制御チャネルの時間領域長さ以上であり、前記データチャネルの時間領域長さは予め設定されたものであっても、又は前記送信ノードからのシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有することであるデータ伝送方法。
【請求項２】
前記伝送ノードは送信ノードを含み、前記送信ノードは高速データ伝送モードのみをサポートする請求項１に記載のデータ伝送方法。
【請求項３】
前記伝送ノードは送信ノードと受信ノードとを含み、前記送信ノードが高速データ伝送モードもサポートし、通常データ伝送モードもサポートする場合、
前記送信ノードは受信ノードが高速データ伝送モードを使用するかどうかを確定することと、
前記受信ノードが高速データ伝送モードを使用することを確定すると、前記受信ノードにデータ伝送モード情報を送信し、データ伝送モードが高速データ伝送モードであることを前記受信ノードに指示することと、を更に含む請求項１に記載のデータ伝送方法。
【請求項４】
前記受信ノードが高速データ伝送モードを使用するかどうかを確定することは、
前記受信ノードの予め設定された伝送情報に基づいて、前記受信ノードが高速データ伝送モードを使用するかどうかを確定することを含む請求項３に記載のデータ伝送方法。
【請求項５】
前記受信ノードの予め設定された伝送情報は、伝送モード要求情報、装置タイプ情報、サービスタイプ情報の中の少なくとも１つを含む請求項４に記載のデータ伝送方法。
【請求項６】
前記受信ノードが高速データ伝送モードを使用するかどうかを確定することは、
前記送信ノードが受信ノードからの伝送モード要求情報を受信すると、前記送信ノードは受信ノードが高速データ伝送モードを使用することを確定すること、又は、
前記送信ノードは受信ノードの装置タイプ情報に基づいて受信ノードのタイプが高速データ伝送をサポートする装置であることを確定すると、前記送信ノードは受信ノードが高速データ伝送モードを使用することを確定すること、又は、
前記送信ノードは受信ノードのサービスタイプ情報に基づいて受信ノードのサービスタイプが超低遅延サービス、及び/又は小さいリソースブロックの需要のデータを含むことを確定すると、前記送信ノードは受信ノードが高速データ伝送モードを使用することを確定すること、又は、
前記送信ノードは受信ノードの装置タイプ情報に基づいて受信装置が高速データ伝送をサポートする装置であることを確定し、且つ受信装置のサービスタイプに基づいて受信装置が高速データ伝送を使用するサービスタイプであることを確定すると、前記送信ノードは受信ノードが高速データ伝送モードを使用することを確定すること、を含む請求項４に記載のデータ伝送方法。
【請求項７】
前記伝送ノードは送信ノードと受信ノードとを含み、前記送信ノードは受信ノードが同時に高速データ伝送モードと通常データ伝送モードを使用することを確定した場合、前記送信ノードは同時に高速データ伝送モードと通常データ伝送モードを使用するように受信ノードを設定することを更に含む請求項１又は３に記載のデータ伝送方法。
【請求項８】
前記受信ノードの高速データ伝送モードと通常データ伝送モードは異なるサービングセルにあり、又は、同じサービングセルの異なるサブフレームにあり、又は、同じサービングセルの同じサブフレームの異なる時間領域シンボルにある請求項７に記載のデータ伝送方法。
【請求項９】
前記受信ノードが同時に高速データ伝送モードと通常データ伝送モードをサポートする場合、
前記受信ノードのメインサービングセルが通常データ伝送モードを採用し、前記受信ノードのサブサービングセルが高速データ伝送モードを採用することと、
前記受信ノードのメインサービングセルが通常データ伝送モードを採用し、前記受信ノードの専用サービングセルが高速データ伝送モードを採用し、前記受信ノードの同じサービングセルの異なるサブフレーム集合が異なる伝送モードを採用することと、
前記受信ノードの同じサービングセルの同じサブフレームの異なる時間領域シンボルが異なる伝送モードを採用することと、の中の少なくとも１つを含む請求項８に記載のデータ伝送方法。
【請求項１０】
前記伝送ノードは送信ノードと受信ノードとを含み、前記データ伝送モード情報を取得することは、
前記データ伝送の前に、伝送ネットワークにおける上層ノードが前記送信ノードに送信し、且つ前記送信ノードを介して前記受信ノードに送信すること、又は、
前記受信ノードがデータ伝送を行う必要がある時、前記送信ノードがデータを送信する前に、前記送信ノードが受信ノードに送信すること、又は、
前記受信ノードがデータ伝送を行う必要がある時、送信ノードがデータに対応する制御情報において送信すること、又は、
前記送信ノードと受信ノードとの間でデータ伝送を行う時、伝送する必要があるデータ情報に基づいてデータ伝送モード情報を動的に確定すること、を含む請求項１〜３のいずれか一項に記載のデータ伝送方法。
【請求項１１】
前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である請求項１に記載のデータ伝送方法。
【請求項１２】
前記時間領域長さにおける伝送データの時間領域シンボルの数は、予め設定されたものであり、又は、伝送する必要があるデータ情報に基づいて、時間領域シンボルの数を動的に確定する請求項１１に記載のデータ伝送方法。
【請求項１３】
前記データチャネルとその対応する制御チャネルとは、ダウンリンクデータチャネル及びその対応するダウンリンク制御チャネル、及び/又はアップリンクデータチャネル及びその対応するアップリンク制御チャネルを含み、
アップリンクデータチャネルは独立スケジューリングを採用する場合、アップリンク制御チャネルは対応するアップリンクデータチャネルの関連する伝送情報を指示することに用いられる請求項１に記載のデータ伝送方法。
【請求項１４】
前記データ伝送モードによりデータを伝送することは、
前記データ伝送モードにより、アップリンクデータ及びその対応する制御チャネルを伝送すること、及び/又は、前記データ伝送モードにより、ダウンリンクデータ及びその対応する制御チャネルを伝送することを含み、アップリンクデータはアップリンクデータチャネルによりベアラされ、アップリンク制御情報はアップリンク制御チャネルによりベアラされ、前記伝送は送信及び/又は受信を含む請求項１〜３のいずれか一項に記載のデータ伝送方法。
【請求項１５】
前記送信ノードは、基地局、中継伝送ノード、無線ゲートウェイ又はルータを含み、前記受信ノードは、ユーザ装置、マイクロ基地局又はホーム基地局を含む請求項１〜３のいずれか一項に記載のデータ伝送方法。
【請求項１６】
データ伝送モード情報を取得し、取得したデータ伝送モードによりデータを伝送するように設定され、データ伝送モード情報は高速データ伝送モードを含み、前記高速データ伝送モードは時間領域シンボルに基づいてデータ伝送の時間領域長さを設定することを含み、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含み、
前記送信ノードは更に、
送信されたシグナリングが指定した位置情報に基づいて、前記時間領域シンボルの時間領域開始位置を確定すること、  
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定される方式により、前記時間領域シンボルのサブフレームでの時間領域エリアを確定するように設定され、
前記データチャネルと対応する制御チャネルとの間の関係は、
前記データチャネルの時間領域シンボルの時間領域開始位置はその対応する制御チャネルの時間領域シンボルの時間領域終止位置に隣接し、この場合、前記データチャネルとその対応する制御チャネルとは同じ周波数領域位置を有し、又は両者は異なる或いは一部が同じである周波数領域位置を有すること、又は、
前記データチャネルの時間領域シンボルとその対応する制御チャネルの時間領域シンボルとは同じ時間領域開始位置を有し、且つデータチャネルの時間領域長さは制御チャネルの時間領域長さ以上であり、前記データチャネルの時間領域長さは予め設定されたものであっても、又は前記送信ノードのシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有することである送信ノード。
【請求項１７】
高速データ伝送モードのみをサポートする請求項１６に記載の送信ノード。
【請求項１８】
前記送信ノードが高速データ伝送モードもサポートし、通常データ伝送モードもサポートする場合、
前記送信ノードは更に、受信ノードの予め設定された伝送情報に基づいて受信ノードが高速データ伝送モードをサポートするかどうかを確定し、且つ送信ノードが高速データ伝送モードをサポートすることを確定した時、受信ノードにデータ伝送モード情報を送信し、データ伝送モードが高速データ伝送モードであることを受信ノードに指示するように設定され、
前記受信ノードの予め設定された伝送情報は、伝送モード要求情報、装置タイプ情報、サービスタイプ情報の中の少なくとも１つを含む請求項１６に記載の送信ノード。
【請求項１９】
前記送信ノードは更に、受信ノードが高速データ伝送モードをサポートしないことを確定した場合、受信ノードが通常データ伝送モードによりデータを伝送することを確定するように設定される請求項１８に記載の送信ノード。
【請求項２０】
前記送信ノードは更に、受信ノードが同時に高速データ伝送モードと通常データ伝送モードをサポートすることを確定した場合、同時に高速データ伝送モードと通常データ伝送モードをサポートするように受信ノードを設定するように設定される請求項１８に記載の送信ノード。
【請求項２１】
前記送信ノードは、基地局、中継伝送ノード、無線ゲートウェイ又はルータを含む請求項１６〜２０のいずれか一項に記載の送信ノード。
【請求項２２】
前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である請求項１６に記載の送信ノード。
【請求項２３】
前記時間領域長さにおける伝送データの時間領域シンボルの数は予め設定されたものであり、又は、伝送する必要があるデータ情報に基づいて、時間領域シンボルの数を動的に確定する請求項２２に記載の送信ノード。
【請求項２４】
データ伝送モード情報を取得し、取得したデータ伝送モードによりデータを伝送するように設定され、
前記データ伝送モード情報は高速データ伝送モードを含み、前記高速データ伝送モードは時間領域シンボルに基づいてデータ伝送の時間領域長さを設定することを含み、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含み、
前記受信ノードは更に、
送信されたシグナリングが指定した位置情報に基づいて、前記時間領域シンボルの時間領域開始位置を確定すること、  
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定される方式により、前記時間領域シンボルのサブフレームでの時間領域エリアを確定するように設定され、
前記データチャネルと対応する制御チャネルとの間の関係は、
前記データチャネルの時間領域シンボルの時間領域開始位置はその対応する制御チャネルの時間領域シンボルの時間領域終止位置に隣接し、この場合、前記データチャネルとその対応する制御チャネルとは同じ周波数領域位置を有し、又は両者は異なる或いは一部が同じである周波数領域位置を有すること、又は、
前記データチャネルの時間領域シンボルとその対応する制御チャネルの時間領域シンボルとは同じ時間領域開始位置を有し、且つデータチャネルの時間領域長さは制御チャネルの時間領域長さ以上であり、前記データチャネルの時間領域長さは予め設定されたものであっても、又はシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有することである受信ノード。
【請求項２５】
送信ノードの指示により、高速データ伝送モードを採用してデータを伝送する、及び/又は通常データ伝送モードを採用してデータを伝送するように更に設定される請求項２４に記載の受信ノード。
【請求項２６】
ユーザ装置、マイクロ基地局又はホーム基地局である請求項２４又は２５に記載の受信ノード。
【請求項２７】
前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である請求項２６に記載の受信ノード。
【請求項２８】
前記時間領域長さにおける伝送データの時間領域シンボルの数は予め設定されたものであり、又は、伝送する必要があるデータ情報に基づいて、時間領域シンボルの数を動的に確定する請求項２７に記載の受信ノード。
【発明の詳細な説明】
【技術分野】
【０００１】
本発明は移動通信技術に関し、特に時間領域シンボルに基づく動的なデータ伝送の方法及び装置に関する。
【背景技術】
【０００２】
第４世代移動通信技術（４Ｇ、the 4th Generation mobile communication technology）のロングタームエボリューション（ＬＴＥ、Long-Term Evolution）/エルティーイーアドバンス（ＬＴＥ‐Advance /ＬＴＥ‐Ａ、Long-Term Evolution Advance）システムの商用化がますます完備されることに連れて、次世代移動通信技術である第５世代移動通信技術（５Ｇ、the 5th Generation mobile communication technology）の技術指標に対する要求もますます高くなる。業界では、次世代移動通信システムが超高速度、超高容量、超高信頼性、及び超低遅延伝送特性等の特徴を有するべきであると思われる。
【０００３】
図１は、従来の異なる世代の移動通信技術における遅延伝送特性の模式図である。図１において、横座標は遅延要求を示し、縦座標は異なる世代の移動通信システムを示す。図１に示すように、従来の第２世代移動通信技術（２Ｇ、the 2nd Generation mobile communication technology）システムにおいてのデータ伝送の遅延は１００msを超え、その遅延は人体の筋肉応答の面での低遅延の通信効果に匹敵することができる。第３世代移動通信技術（３Ｇ、the 3rd Generation mobile communication technology）システムにおいてのデータ伝送の遅延は１００msであり、その遅延は聴覚の面での低遅延の通信効果に匹敵することができる。４Ｇシステムにおいてのデータ伝送の遅延は約２０ms程度であり、この遅延は視覚の面で低遅延の通信効果に匹敵することができる。
【発明の概要】
【発明が解決しようとする課題】
【０００４】
しかし、上記各世代の移動通信技術においての遅延伝送を実現する技術は、モバイル３Ｄターゲット、バーチャルリアリティ、インテリジェント交通、スマートグリッド等の適用シーンにおける超低遅延通信要求を満たすことができない。上記適用シーンでは、１ms級のデータ遅延の実現が要求される。
【０００５】
従来のＬＴＥシステムにおいて、物理ダウンリンク制御チャネルはサブフレームの前のｎ個の直交周波数分割多重（ＯＦＤＭ、Orthogonal Frequency Division Multiplexing）シンボルにあり、物理ダウンリンク共有チャネル（ＰＤＳＣＨ）は、物理ダウンリンク制御チャネル（ＰＤＣＣＨ）の時間領域の後にあり、時間領域においてサブフレームの全体を占める。また、拡張型物理ダウンリンク制御チャネル（ｅＰＤＣＣＨ）と物理ダウンリンク共有チャネルは、周波数分割多重方式を採用し、時間領域長さは、図２に示すように、同じである。図２は、従来のＬＴＥシステムの物理ダウンリンク制御チャネルと物理ダウンリンク共有チャネルの模式図である。図２では、１つのサブフレームにおいて、斜線の陰影部分はＰＤＣＣＨ領域を示し、斜め小さな格子の陰影部分はｅＰＤＣＣＨ領域を示し、余白部分はＰＤＳＣＨ領域を示す。
【０００６】
一般に、ユーザ装置は、ＰＤＣＣＨ/ｅＰＤＣＣＨを受信しなければ、ＰＤＳＣＨの周波数領域位置を知って、対応するデータデコードを開始してデータ伝送を実現することができない。このようにして、ＰＤＣＣＨ/ｅＰＤＣＣＨの受信が遅延すると、ＰＤＳＣＨがベアラするデータデコードは遅延する。一方で、ＬＴＥシステムにおいてＰＤＣＣＨ/ｅＰＤＣＣＨ/ＰＤＳＣＨの伝送間隔は１つのサブフレームであるため、突発的な超リアルタイムデータの伝送があっても、次のサブフレームを待たなければ処理できない。このようなデータ伝送方式もデータ伝送遅延を増やす。
【０００７】
そして、時間領域長さは固定であり、即ち時間領域においてサブフレーム全体を占めるため、データ伝送の周波数領域位置を調整することしかできなく、このように、単一又は幾つかのＯＦＤＭシンボルによりデータ伝送を完成できる小さいデータパケットシーンにとって、まだ１つのサブフレームに遅延しなければデータ伝送を完成できなく、これはもちろんデータ伝送遅延を増やし、データの高速伝送を妨げる。
【課題を解決するための手段】
【０００８】
上記技術課題を解決するために、本発明の実施例は、データ伝送遅延を低減させ、特定のアプリケーションシーンでの伝送遅延要求を満たし、データの高速伝送を実現することができるデータ伝送の方法及び装置を提供する。
【０００９】
データ伝送方法であって、伝送ノードはデータ伝送モード情報を取得し、データ伝送モード情報は高速データ伝送モードを含み、前記高速データ伝送モードは時間領域シンボルに基づいてデータ伝送の時間領域長さを設定することを含むことと、
伝送ノードは取得したデータ伝送モードによりデータを伝送することと、を含む。
【００１０】
好ましくは、前記伝送ノードは送信ノードを含み、前記送信ノードは高速データ伝送モードのみをサポートする。
【００１１】
好ましくは、前記伝送ノードは送信ノードと受信ノードとを含み、前記送信ノードが高速データ伝送モードもサポートし、通常データ伝送モードもサポートする場合、該方法は、
前記送信ノードは受信ノードが高速データ伝送モードを使用するかどうかを確定することと、
前記受信ノードが高速データ伝送モードを使用することを確定すると、前記受信ノードにデータ伝送モード情報を送信し、データ伝送モードが高速データ伝送モードであることを前記受信ノードに指示することと、を更に含む。
【００１２】
好ましくは、前記受信ノードが高速データ伝送モードを使用するかどうかを確定することは、
前記受信ノードの予め設定された伝送情報に基づいて、受信ノードが高速データ伝送モードを使用するかどうかを確定することを含む。
【００１３】
好ましくは、前記受信ノードの予め設定された伝送情報は、伝送モード要求情報、装置タイプ情報、サービスタイプ情報の中の少なくとも１つを含む。
【００１４】
好ましくは、前記受信ノードが高速データ伝送モードを使用するかどうかを確定することは、
前記送信ノードは受信ノードからの伝送モード要求情報を受信すると、前記送信ノードは受信ノードが高速データ伝送モードを使用することを確定すること、又は、
前記送信ノードは受信ノードの装置タイプ情報に基づいて受信ノードのタイプが高速データ伝送をサポートする装置であることを確定すると、前記送信ノードは受信ノードが高速データ伝送モードを使用することを確定すること、又は、
前記送信ノードは受信ノードのサービスタイプ情報に基づいて受信ノードのサービスタイプが超低遅延サービス、及び/又は小さいリソースブロックの要求データを含むことを確定すると、前記送信ノードは受信ノードが高速データ伝送モードを使用することを確定すること、又は、
前記送信ノードは受信ノードの装置タイプ情報に基づいて受信装置が高速データ伝送をサポートする装置であることを確定し、且つ受信装置のサービスタイプに基づいて受信装置が高速データ伝送を使用するサービスタイプであることを確定すると、前記送信ノードは受信ノードが高速データ伝送モードを使用することを確定すること、を含む。
【００１５】
好ましくは、前記伝送ノードは送信ノードと受信ノードとを含み、前記送信ノードは受信ノードが同時に高速データ伝送モードと通常データ伝送モードを使用することを確定した場合、該方法は、前記送信ノードは同時に高速データ伝送モードと通常データ伝送モードを使用するように受信ノードを設定することを更に含む。
【００１６】
好ましくは、前記受信ノードの高速データ伝送モードと通常データ伝送モードは異なるサービングセルにあり、又は、同じサービングセルの異なるサブフレームにあり、又は、同じサービングセルの同じサブフレームの異なる時間領域シンボルにある。
【００１７】
好ましくは、前記受信ノードが同時に高速データ伝送モードと通常データ伝送モードをサポートする場合、
前記受信ノードのメインサービングセルが通常データ伝送モードを採用し、サブサービングセルが高速データ伝送モードを採用することと、
前記受信ノードのメインサービングセルが通常データ伝送モードを採用し、専用サービングセルが高速データ伝送モードを採用し、前記受信ノードの同じサービングセルの異なるサブフレーム集合が異なる伝送モードを採用することと、
前記受信ノードの同じサービングセルの同じサブフレームの異なる時間領域シンボルが異なる伝送モードを採用することと、の中の少なくとも１つを含む。
【００１８】
好ましくは、前記伝送ノードは送信ノードと受信ノードとを含み、前記データ伝送モード情報を取得することは、
前記データ伝送の前に、伝送ネットワークにおける上層ノードが前記送信ノードに送信し、且つ前記送信ノードを介して前記受信ノードに送信すること、又は、
前記受信ノードがデータ伝送を行う必要がある時、前記送信ノードがデータを送信する前に、前記送信ノードが受信ノードに送信すること、又は、
前記受信ノードがデータ伝送を行う必要がある時、送信ノードがデータに対応する制御情報において送信すること、又は、
前記送信ノードと受信ノードとの間でデータ伝送を行う時、伝送する必要があるデータ情報に基づいてデータ伝送モード情報を動的に確定すること、を含む。
【００１９】
好ましくは、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含む。
【００２０】
好ましくは、前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である。
【００２１】
好ましくは、前記時間領域長さにおける伝送データの時間領域シンボルの数は、予め設定されたものであり、又は、伝送する必要があるデータ情報、例えばデータパケットのサイズに基づいて、時間領域シンボルの数を動的に確定する。
【００２２】
好ましくは、前記時間領域シンボルのサブフレームでの時間領域エリアの確定方法は、
送信されたシグナリングが指定した位置情報に基づいて、前記時間領域シンボルの時間領域開始位置を確定すること、 
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定されること、である。
【００２３】
好ましくは、前記データチャネルと対応する制御チャネルとの間の関係は、
前記データチャネルの時間領域シンボルと対応する制御チャネルの時間領域シンボルとは、同じ時間領域開始位置と時間領域終止位置を有すること、又は、
前記データチャネルの時間領域シンボルの時間領域開始位置は対応する制御チャネルの時間領域シンボルの時間領域終止位置に隣接し、この場合、前記データチャネルと対応する制御チャネルとは同じ周波数領域位置を有し、又は両者は異なる或いは一部が同じである周波数領域位置を有すること、又は、
前記データチャネルの時間領域シンボルと対応する制御チャネルの時間領域シンボルとは同じ時間領域開始位置を有し、且つデータチャネルの時間領域長さは制御チャネルの時間領域長さ以上であり、前記データチャネルの時間領域長さは、予め設定されたものであっても、又は前記送信ノードからのシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有すること、である。
【００２４】
好ましくは、前記データチャネルと対応する制御チャネルとの周波数領域位置はそれぞれ確定され、前記データチャネルの周波数領域位置は制御チャネルがベアラするリソース指示シグナリングにより確定される。
【００２５】
好ましくは、前記データチャネルと対応する制御チャネルとの周波数領域位置は不連続である。
【００２６】
好ましくは、前記データチャネルと対応する制御チャネルとは、ダウンリンクデータチャネル及び対応するダウンリンク制御チャネル、及び/又は、アップリンクデータチャネル及び対応するアップリンク制御チャネルを含み、
アップリンクデータチャネルが独立スケジューリングを採用する場合、アップリンク制御チャネルは対応するアップリンクデータチャネルの関連する伝送情報を指示することに用いられる。
【００２７】
好ましくは、前記データ伝送モードによりデータを伝送することは、
前記データ伝送モードにより、アップリンクデータ及び対応する制御チャネルを伝送すること、及び/又は、前記データ伝送モードにより、ダウンリンクデータ及び対応する制御チャネルを伝送することを含み、アップリンクデータはアップリンクデータチャネルによりベアラされ、アップリンク制御情報はアップリンク制御チャネルによりベアラされ、前記伝送は送信及び/又は受信を含む。
【００２８】
好ましくは、前記送信ノードは、基地局、中継伝送ノード、無線ゲートウェイ、ルータを含み、前記受信ノードは、ユーザ装置、マイクロ基地局、ホーム基地局を含む。
【００２９】
本発明の実施例はデータ伝送システムを更に提供し、少なくとも伝送ノードを含み、
伝送ノードは、データ伝送モード情報を取得し、取得したデータ伝送モードによりデータを伝送するように設定され、データ伝送モード情報は高速データ伝送モードを含み、前記高速データ伝送モードは時間領域シンボルに基づいてデータ伝送の時間領域長さを設定することを含む。
【００３０】
好ましくは、伝送ノードは送信ノードを含み、前記送信ノードは高速データ伝送モードのみをサポートする。
【００３１】
好ましくは、前記伝送ノードは送信ノードと受信ノードとを含み、前記送信ノードが高速データ伝送モードもサポートし、通常データ伝送モードもサポートする場合、
前記送信ノードは更に、受信ノードの予め設定された伝送情報に基づいて受信ノードが高速データ伝送モードを使用するかどうかを確定し、且つ送信ノードが高速データ伝送モードを使用することを確定した時、受信ノードにデータ伝送モード情報を送信し、データ伝送モードが高速データ伝送モードであることを受信ノードに指示するように設定され、
前記受信ノードは更に、送信ノードの指示により、高速データ伝送モードを採用してデータを伝送するように設定される。
【００３２】
好ましくは、前記送信ノードは更に、受信ノードが高速データ伝送モードをサポートしないことを確定した場合、受信ノードが通常データ伝送モードによりデータを伝送することを確定するように設定され、
前記受信ノードは更に、送信ノードの指示により、通常伝送モードを採用してデータを伝送するように設定される。
【００３３】
好ましくは、前記送信ノードは更に、受信ノードが同時に高速データ伝送モードと通常データ伝送モードをサポートすることを確定した場合、同時に高速データ伝送モードと通常データ伝送モードをサポートするように受信ノードを設定するように設定され、
前記受信ノードは送信ノードの設定により、高速データ伝送モード及び/又は通常データ伝送モードのデータ伝送を行う。
【００３４】
好ましくは、前記送信ノードは、基地局、中継伝送ノード、無線ゲートウェイ又はルータを含み、
前記受信ノードは、ユーザ装置、マイクロ基地局又はホーム基地局を含む。
【００３５】
好ましくは、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含む。
【００３６】
好ましくは、前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である。
【００３７】
好ましくは、前記時間領域長さにおける伝送データの時間領域シンボルの数は、予め設定されたものであり、又は、伝送する必要があるデータ情報、例えばデータパケットのサイズに基づいて、時間領域シンボルの数を動的に確定する。
【００３８】
好ましくは、前記時間領域シンボルのサブフレームでの時間領域エリアの確定は、
送信されたシグナリングが指定した位置情報に基づいて、前記時間領域シンボルの時間領域開始位置を確定すること、
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定されること、である。
【００３９】
好ましくは、前記データチャネルと対応する制御チャネルとの間の関係は、
前記データチャネルの時間領域シンボルと対応する制御チャネルの時間領域シンボルとは、同じ時間領域開始位置と時間領域終止位置を有すること、又は、
前記データチャネルの時間領域シンボルの時間領域開始位置は対応する制御チャネルの時間領域シンボルの時間領域終止位置に隣接し、この場合、前記データチャネルと対応する制御チャネルとは同じ周波数領域位置を有し、又は両者は異なる或いは一部が同じである周波数領域位置を有すること、又は、
前記データチャネルの時間領域シンボルと対応する制御チャネルの時間領域シンボルとは同じ時間領域開始位置を有し、且つデータチャネルの時間領域長さは制御チャネルの時間領域長さ以上であり、前記データチャネルの時間領域長さは、予め設定されたものであっても、又は前記送信ノードからのシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有すること、である。
【００４０】
好ましくは、前記データチャネルと対応する制御チャネルとの周波数領域位置は不連続である。
【００４１】
本発明の実施例は送信ノードを更に提供し、データ伝送モード情報を取得し、取得したデータ伝送モードによりデータを伝送するように設定され、データ伝送モード情報は高速データ伝送モードを含み、前記高速データ伝送モードは時間領域シンボルに基づいてデータ伝送の時間領域長さを設定することを含む。
【００４２】
好ましくは、前記送信ノードは高速データ伝送モードのみをサポートする。
【００４３】
好ましくは、前記送信ノードが高速データ伝送モードもサポートし、通常データ伝送モードもサポートする場合、
前記送信ノードは更に、受信ノードの予め設定された伝送情報に基づいて受信ノードが高速データ伝送モードをサポートするかどうかを確定し、且つ送信ノードが高速データ伝送モードをサポートすることを確定した時、受信ノードにデータ伝送モード情報を送信し、データ伝送モードが高速データ伝送モードであることを受信ノードに指示するように設定され、
前記受信ノードの予め設定された伝送情報は、伝送モード要求情報、装置タイプ情報、サービスタイプ情報の中の少なくとも１つを含む。
【００４４】
好ましくは、前記送信ノードは更に、受信ノードが高速データ伝送モードをサポートしないことを確定した場合、受信ノードが通常データ伝送モードによりデータを伝送することを確定するように設定される。
【００４５】
好ましくは、前記送信ノードは更に、受信ノードが同時に高速データ伝送モードと通常データ伝送モードをサポートすることを確定した場合、同時に高速データ伝送モードと通常データ伝送モードをサポートするように受信ノードを設定するように設定される。
【００４６】
好ましくは、前記送信ノードは、基地局、中継伝送ノード、無線ゲートウェイ又はルータを含む。
【００４７】
好ましくは、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含む。
【００４８】
好ましくは、前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である。
【００４９】
好ましくは、前記時間領域長さにおける伝送データの時間領域シンボルの数は、予め設定されたものであり、又は、伝送する必要があるデータ情報、例えばデータパケットのサイズに基づいて、時間領域シンボルの数を動的に確定する。
【００５０】
好ましくは、前記時間領域シンボルのサブフレームでの時間領域エリアの確定は、
送信されたシグナリングが指定した位置情報に基づいて、前記時間領域シンボルの時間領域開始位置を確定すること、 
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定されること、である。
【００５１】
好ましくは、前記データチャネルと対応する制御チャネルとの間の関係は、
前記データチャネルの時間領域シンボルと対応する制御チャネルの時間領域シンボルとは、同じ時間領域開始位置と時間領域終止位置を有すること、又は、
前記データチャネルの時間領域シンボルの時間領域開始位置は対応する制御チャネルの時間領域シンボルの時間領域終止位置に隣接し、この場合、前記データチャネルと対応する制御チャネルとは同じ周波数領域位置を有し、又は両者は異なる或いは一部が同じである周波数領域位置を有すること、又は、
前記データチャネルの時間領域シンボルと対応する制御チャネルの時間領域シンボルとは同じ時間領域開始位置を有し、且つデータチャネルの時間領域長さは制御チャネルの時間領域長さ以上であり、前記データチャネルの時間領域長さは予め設定されたものであっても、又は前記送信ノードのシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置はその時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有すること、である。
【００５２】
好ましくは、前記データチャネルと対応する制御チャネルとの周波数領域位置は不連続である。
【００５３】
本発明の実施例は受信ノードを更に提供し、データ伝送モード情報を取得し、取得したデータ伝送モードによりデータを伝送するように設定され、
データ伝送モード情報は高速データ伝送モードを含み、前記高速データ伝送モードは時間領域シンボルに基づいてデータ伝送の時間領域長さを設定することを含む。
【００５４】
好ましくは、前記受信ノードは更に送信ノードの指示により、高速データ伝送モードを採用してデータを伝送し、及び/又は通常データ伝送モードを採用してデータを伝送する。
【００５５】
好ましくは、前記受信ノードは、ユーザ装置、マイクロ基地局又はホーム基地局である。
【００５６】
好ましくは、前記時間領域シンボルは、直交周波数分割多重ＯＦＤＭシンボル、又はシングルキャリア周波数分割多元接続ＳＣ‐ＦＤＭＡシンボル、又は非直交シンボルを少なくとも含む。
【００５７】
好ましくは、前記時間領域長さはｈ個の時間領域シンボルを含み、ｈは、予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数である。
【００５８】
好ましくは、前記時間領域長さにおける伝送データの時間領域シンボルの数は予め設定されたものであり、又は、伝送する必要があるデータ情報、例えばデータパケットのサイズに基づいて、時間領域シンボルの数を動的に確定する。
【００５９】
好ましくは、前記時間領域シンボルのサブフレームでの時間領域エリアの確定方式は、
送信されたシグナリングが指定した位置情報に基づいて、前記時間領域シンボルの時間領域開始位置を確定すること、 
又は、前記時間領域シンボルの時間領域開始位置はデータに関連するダウンリンク制御チャネルの時間領域開始位置と同じであり、又は前記時間領域シンボルの時間領域開始位置はデータに関連する制御チャネルの時間領域開始位置に基づいて確定されること、である。
【００６０】
好ましくは、前記データチャネルと対応する制御チャネルとの間の関係は、
前記データチャネルの時間領域シンボルと対応する制御チャネルの時間領域シンボルとは、同じ時間領域開始位置と時間領域終止位置を有すること、又は、
前記データチャネルの時間領域シンボルの時間領域開始位置は対応する制御チャネルの時間領域シンボルの時間領域終止位置に隣接し、この場合、前記データチャネルと対応する制御チャネルとは同じ周波数領域位置を有し、又は両者は異なる或いは一部が同じである周波数領域位置を有すること、又は、
前記データチャネルの時間領域シンボルと対応する制御チャネルの時間領域シンボルとは同じ時間領域開始位置を有し、且つデータチャネルの時間領域長さは制御チャネルの時間領域長さ以上であり、前記データチャネルの時間領域長さは予め設定されたものであっても、又はシグナリングにより指示されたものであっても、又は制御チャネルの時間領域長さに基づいて確定されたものであってもよく、又はデータチャネルの時間領域長さと制御チャネルの時間領域長さとの間に予め設定されたマッピング関係が存在すること、又は、
前記データチャネルに対応する制御チャネルがベアラするシグナリングに基づいて、データチャネルの時間領域シンボルの時間領域位置を確定し、前記データチャネルの時間領域シンボルの時間領域開始位置は、前記制御チャネルの時間領域シンボルの時間領域開始位置よりも早い若しくは遅い、或いは前記制御チャネルの時間領域シンボルの時間領域開始位置と同じであり、或いは、前記データチャネルの時間領域シンボルの時間領域開始位置は、その時間領域長さに基づいて区分され、前記制御チャネルの時間領域シンボルエリアはデータチャネルの時間領域長さエリア内の予め設定された位置にあること、又は、
前記データチャネルの時間領域長さエリア位置と制御チャネルの時間領域長さエリア位置とは予め設定された間隔ｔを有すること、である。
【００６１】
好ましくは、前記データチャネルと対応する制御チャネルとの周波数領域位置は不連続である。
【００６２】
本発明の実施例はコンピュータプログラムを更に提供し、プログラム指令を含み、該プログラム指令が伝送ノードにより実行される場合、該伝送ノードは上記方法を実行できる。
【００６３】
本発明の実施例は上記コンピュータプログラムを記憶する媒体を更に提供する。
【発明の効果】
【００６４】
本発明の実施例は、送信ノードと受信ノードが、時間領域シンボルに基づいてデータ伝送の時間領域長さを設定する高速データ伝送モードを含むデータ伝送モード情報を取得することと、送信ノードと受信ノードとの間で取得したデータ伝送モードによりデータを伝送することと、を含む。本発明の実施例によるデータ伝送方法において、データ伝送の時間領域長さは時間領域シンボルに基づいて設定されるものであり、データ伝送の時間領域長さの設定は柔軟であり、１つのサブフレームには複数回のデータ伝送のチャンスが存在することができ、データ伝送の要求があると、データ伝送に用いられるリソースを速やかに見つけることを確保し、高速データ伝送を実現し、データ伝送の遅延を低減させる。
【００６５】
また、本発明の実施例では、時間領域シンボルに基づいてデータ伝送の時間領域長さを設定することにより、データスケジューリングが時間領域リソースに対する要求を低減させ、より柔軟なリソース適用を実現し、スペクトル効率を向上させる。
【図面の簡単な説明】
【００６６】
ここで説明する図面は本発明を更に理解するためのものであり、本願の一部を構成し、本発明の模式的な実施例及びその説明は本発明を解釈するためのものであり、本発明に対する不当な限定を構成しない。図面では、
【図１】図１は、関連技術の異なる世代移動通信技術における遅延伝送特性の模式図である。
【図２】図２は、関連技術のＬＴＥシステムの物理ダウンリンク制御チャネルと物理ダウンリンク共有チャネルの模式図である。
【図３】図３は、本発明の実施例によるデータ伝送方法のフローチャートである。
【図４（ａ）】図４（ａ）は、本発明の実施例によるデータチャネル及び対応する制御チャネルの時間領域位置の第１種の方式の模式図である。
【図４（ｂ）】図４（ｂ）は、本発明の実施例によるデータチャネル及び対応する制御チャネルの時間領域位置の第２種の方式の模式図である。
【図４（ｃ）】図４（ｃ）は、本発明の実施例によるデータチャネル及び対応する制御チャネルの時間領域位置の第３種の方式の模式図である。
【図４（ｄ）】図４（ｄ）は、本発明の実施例によるデータチャネル及び対応する制御チャネルの時間領域位置の第４種の方式の模式図である。
【図４（ｅ）】図４（ｅ）は、本発明の実施例によるデータチャネル及び対応する制御チャネルの時間領域位置の第５種の方式の模式図である。
【図５】図５は、本発明の実施例によるスペクトル共有シーンの高速データ伝送モードのデータ送信の模式図である。
【図６（ａ）】図６（ａ）は、本発明の実施例による高速データ伝送モードと通常データ伝送モードの多重方式において専用サービングセルが高速データ伝送モードを採用する模式図である。
【図６（ｂ）】図６（ｂ）は、本発明の実施例による高速データ伝送モードと通常データ伝送モードの多重方式においてメインサービングセルが通常データ伝送モードを採用する模式図である。
【図７】図７は、本発明の実施例による高速データ伝送モードと通常データ伝送モードの多重方式において同じサービングセルの異なるサブフレーム集合が異なる伝送モードを採用する模式図である。
【図８】図８は、本発明の実施例による高速データ伝送モードと通常データ伝送モードの多重方式において同じサービングセルの同じサブフレームの異なる時間領域シンボルが異なる伝送モードを採用する模式図である。
【発明を実施するための形態】
【００６７】
以下、図面を参照しながら本発明の実施例を詳しく説明する。なお、矛盾が生じない場合には、本願における実施例及び実施例における特徴を互いに任意に組み合わせることができる。
【００６８】
図３は、本発明の実施例によるデータ伝送方法のフローチャートであり、図３に示すように、以下のステップを含む。
【００６９】
ステップ３００：伝送ノードはデータ伝送モード情報を取得し、データ伝送モード情報は高速データ伝送モードを含み、高速データ伝送モードには時間領域シンボルに基づいてデータ伝送の時間領域長さを設定することが含まれる。
【００７０】
伝送ノードは送信ノードと受信ノードとを含む。なお、高速データ伝送モードのみをサポートする送信ノードが位置する伝送ネットワーク、例えば幾つかのプライベートネットワーク又は固有ネットワークに対して、全ての該伝送ネットワークにアクセスする受信ノードはいずれも高速データ伝送モードを採用してデータを伝送する。
【００７１】
該ステップにおいて、データ伝送モード情報を取得することは、
データ伝送の前に、伝送ネットワークにおける上層ノードが送信ノードに送信し、且つ送信ノードを介して受信ノードに送信する方式１、又は、
受信ノードがデータ伝送を行う必要がある時、送信ノードがデータを送信する前に、送信ノードが受信ノードに送信する方式２、又は、
受信ノードがデータ伝送を行う必要がある時、送信ノードがデータを送信する前に、送信ノードがデータに対応する制御情報において送信する方式３、又は、
送信ノードと受信ノードとの間でデータ伝送を行う時、伝送する必要があるデータ情報、例えばデータパケットのサイズ、サービスタイプ、伝送モード要求情報等に基づいてデータ伝送モード情報を動的に確定し、伝送ブロックのサイズに基づいて確定することを含み、例えば、伝送ブロックが予め設定された値Ｘ１よりも小さいと、対応する時間領域設定情報長さは予め設定された値Ｌ１であり、伝送ブロックが予め設定された値Ｘ１よりも大きくて予め設定された値Ｘ２よりも小さいと、対応する時間領域設定情報長さは予め設定された値Ｌ２であること、又は、伝送ブロックのサイズ及び他の情報に基づいて確定すること、を含み、他の情報はシステム帯域幅及び/又は時間領域ＯＦＤＭシンボル長さ等を含む方式４、を含む。
【００７２】
上記方式は組合わせてもよく、例えば、方式１又は方式２と方式３との組合せ、即ち事前に幾つかの種類の時間領域長さを設定し、データを送信する時に既存の設定から動的に選択し、或いは、方式１又は方式２と方式４との組合せ、即ち事前に幾つかの種類の時間領域長さを設定し、そして、約束した方式により予定の設定から選択し、或いは、方式３と方式４との組合せ、即ち現在のスケジューリング情報における設定情報と約束した方式との組合せにより現在の設定を確定する。
【００７３】
ステップ３００において、
時間領域シンボルは、ＯＦＤＭシンボル、又はシングルキャリア周波数分割多元接続（ＳＣ‐ＦＤＭＡ）シンボル、又は非直交シンボルを少なくとも含む。
【００７４】
時間領域長さはｈ個の時間領域シンボルを含む。好ましくは、ｈは、例えば１、２、３、４、８、１０である予め設定された値、又は１つのタイムスロットに含まれる時間領域シンボルの数、又は１つのサブフレームに含まれる時間領域シンボルの数、又は複数のサブフレームに含まれる全部或いは一部の時間領域シンボルの数を少なくとも含み、１つ又は複数のサブフレームに含まれる時間領域シンボルの数の適用シーンは主に、１つ又は複数のサブフレームの時間領域長さが１msよりも小さいこと、又はより大きなデータパケットの伝送を実現し、複数の小さいデータパケットに分割する場合の発生を避けるためのものである。
【００７５】
なお、１msよりも小さいサブフレームは、本発明の実施例において新たに定義されたフレーム構造におけるサブフレーム長さであり、従来のＬＴＥシステムのフレーム構造におけるサブフレームの定義と異なっている。
【００７６】
時間領域長さは固定の長さであってもよく、複数種類のプリセットの長さであってもよく、シグナリング又は他の暗黙方式（例えば、関連する制御チャネル情報、データパケット再伝送情報等）により準静的又は動的に選択される。
【００７７】
本発明の実施例によるデータ伝送の時間領域長さによれば、１msに複数回のデータ伝送のチャンスが存在することを実現し、データ伝送の需要があると、データ伝送に用いられるリソースを速やかに見つけることを確保し、高速データ伝送を実現する。
【００７８】
好ましくは、時間領域長さにおける伝送データの時間領域シンボルの数は予め設定されたものであり、又は、更なる高速のデータ伝送を実現するために、伝送する必要があるデータ情報、例えばデータパケットのサイズに基づいて、時間領域シンボルの数を動的に確定することができ、このように、できるだけ短い時間内にデータ伝送を完成することをできるだけ確保することができ、データ伝送の時間領域長さの制限により１つのデータパケットが複数の小さいデータパケットに分割され伝送することによる遅延問題を避ける。
【００７９】
好ましくは、時間領域シンボルのサブフレームでの時間領域エリアの確定方法は、
送信されたシグナリングが指定した位置情報に基づいて、時間領域シンボルの時間領域開始位置を確定し、シグナリングは物理層制御チャネルにより伝送されるもの、又はＲＲＣシグナリング、又はＭＭＥ設定シグナリングであること、又は、
時間領域シンボルの時間領域開始位置はデータに関連するダウンリンク制御チャネルの時間領域開始位置と同じであり、又は時間領域シンボルの時間領域開始位置はデータに関連する制御チャネルの時間領域開始位置に基づいて確定され、例えば、データチャネルの時間領域開始位置と対応する制御チャネルの最後の１つの時間領域位置との間隔は予め定義された値、例えば０、１、２、３、６、７、９、１０等であること、である。
【００８０】
好ましくは、データチャネルと対応する制御チャネルとの間の関係は、以下の第１種の方式〜第５種の方式である。
【００８１】
第１種の方式、図４（ａ）に示すように、データチャネルの時間領域シンボルと対応する制御チャネルの時間領域シンボルとは、同じ時間領域開始位置と時間領域終止位置を有し、又は、
第２種の方式、図４（ｂ）に示すように、データチャネルの時間領域シンボルの時間領域開始位置は対応する制御チャネルの時間領域シンボルの時間領域終止位置に隣接し、この場合、データチャネルと対応する制御チャネルとは同じ周波数領域位置を有し、又は両者は異なる或いは一部が同じである周波数領域位置を有してもよい。好ましくは、データチャネルと対応する制御チャネルとの間に両者が同じ周波数領域位置を有することを規定すると、シグナリングがデータチャネルの周波数領域位置を指示する必要がなく、測定した制御チャネルに基づいてデータチャネルの周波数領域位置を確定することができ、或いは、データチャネルと対応する制御チャネルとの周波数領域位置はそれぞれ確定され、データチャネルの周波数領域位置は制御チャネルがベアラするリソース指示シグナリングにより確定されることができ、又は、
第３種の方式、図４（ｃ）に示すように、データチャネルの時間領域シンボルと対応する制御チャネルの時間領域シンボルとは同じ時間領域開始位置を有し、且つデータチャネルの時間領域長さは制御チャネルの時間領域長さ以上であり、データチャネルの時間領域長さは予め設定されたもの、又は送信ノードからのシグナリングにより指示されたもの（即ち送信ノードはデータチャネル時間領域長さシグナリング指示を受信ノードに伝送し、受信ノードは該シグナリング指示を取得した後、該シグナリング指示に基づいてデータチャネル時間領域長さを確定する）、又は制御チャネルの時間領域長さに基づいて確定されたものであってもよく、例えば、データチャネルの時間領域長さは制御チャネルの時間領域長さのｋ倍であり、ｋが１、２、３、４等であり、又はデータチャネルの時間領域長さと制御チャネルの時間領域長さとの間に予め設定された表１と表２に示すようなマッピング関係が存在する。この場合、データチャネルと対応する制御チャネルとの周波数領域位置は厳しく限定されなく、同じであってもよく、異なってもよい。
【００８２】
【表１】
0006377763.tif 000002
【００８３】
又は、表２に示すように、
【００８４】
【表２】
0006377763.tif 000003
【００８５】
前記データチャネルの時間領域長さがシグナリングにより指示されることは、送信ノードがデータチャネル時間領域長さ指示シグナリングを受信ノードに伝送し、受信ノードは該シグナリングを取得した後、該シグナリングに基づいてデータチャネル時間領域長さを確定することを含み、前記シグナリングは長さ値を代表してもよく、幾つかの値を予め設定し、シグナリングにより動的に選択されてもよく、
【００８６】
第４種の方式、データチャネルに対応する制御チャネルがベアラするシグナリングに基づいて、データチャネルの時間領域シンボルの時間領域位置を確定し、データチャネルの時間領域シンボルの時間領域開始位置は、図４（ｄ）に示すように、制御チャネルの時間領域シンボルの時間領域開始位置よりも早くであってもよく、図４（ｃ）に示すように、両者は同じであってもよく、図４（ｂ）又は４（ｅ）に示すように、制御チャネルの時間領域シンボルの時間領域終止位置よりも遅くであってもよく、或いは、データチャネルの時間領域シンボルの時間領域開始位置はその時間領域長さに基づいて区分され、制御チャネルの時間領域シンボルエリアはデータチャネルの時間領域長さエリア内の予め設定された位置にあり、例えば、データチャネルの時間領域長さは３つのＯＦＤＭシンボルであり、制御チャネルの時間領域シンボルエリアはデータチャネルの時間領域長さエリアの２つ目のＯＦＤＭシンボルにあり、又はデータチャネルの時間領域長さは５つのＯＦＤＭシンボルであり、制御チャネルの時間領域シンボルエリアはデータチャネルの時間領域長さエリアの２つ目のＯＦＤＭシンボルと３つ目のＯＦＤＭシンボルにある等、又は、
第５種の方式、図４（ｅ）に示すように、データチャネルの時間領域長さエリア位置と制御チャネルの時間領域長さエリア位置とは固定の間隔ｔを有し、この場合、
本発明の実施例による時間領域シンボルに基づいてデータ伝送の時間領域長さを設定する方式によれば、１つのサブフレームにおいて、１つ又は１つ以上のデータチャネルを伝送するための時間領域エリアが存在することができ、該時間領域エリアの数量は該データチャネルの時間領域長さにより決められ、どのように確定するかは当業者が本発明の実施例による方法に基づいて容易に実現できるものであり、ここで繰り返して説明しない。
【００８７】
上記データチャネルと対応する制御チャネルとの周波数領域位置は不連続であってもよく、連続であってもよく、その具体的な実現は本発明の保護範囲を限定するためのものではない。
【００８８】
上記データチャネルと対応する制御チャネルとは、ダウンリンクデータチャネル及び対応するダウンリンク制御チャネル、及び/又は、アップリンクデータチャネル及び対応するアップリンク制御チャネルを含む。その中、
アップリンク制御チャネルはアップリンク制御情報をベアラすることに用いられ、例えば、ハイブリッド自動再送要求応答（ＨＡＲＱ‐ＡＣＫ）、チャネル状態情報（ＣＳＩ）であり、アップリンク制御チャネルの時間領域長さも時間領域シンボルに基づいて割り当てられるものである。
【００８９】
好ましくは、アップリンクデータチャネルが独立スケジューリングを採用すると、アップリンク制御チャネルは対応するアップリンクデータチャネルの関連する伝送情報を指示することに用いられることができ、例えば、伝送ブロックのサイズ、新しいデータパケット/古いデータパケット、バージョン情報、関連する参照信号情報等である。その中、独立スケジューリングは一部のリソースを予め割り当てることであり、例えば、ＰＵＳＣＨリソース、又は新しい時間周波数ユニットを単位とする伝送データのリソースである。この場合、受信ノードはデータ伝送の要求がある時、受信ノードは予め定義されたリソースにおいて直接にデータ伝送を行い、送信ノードにスケジューリング要求を送信して送信ノードのスケジューリングを待つ必要がなくなり、スケジューリングを待つことによる遅延を低減させ、データ伝送遅延を短くし、データ伝送速度を向上させ、
その中、上記制御チャネルのリソースは予め設定された方式によりマッピングされ、例えば、予め設定された時間周波数にあるリソースは、予め設定された伝送ブロックのサイズに基づいてデータ伝送を行い、固定の変調コーディング方式を採用してマッピングを行うことは、周波数領域がリソースブロックを単位として連続又は離散マッピングを行うこと、又は特有の制御チャネルユニットをもって連続又は離散マッピングを行うことを含み、制御チャネルとデータチャネルは同じ時間領域シンボルの同じリソースブロック内に多重化され、又は同じリソースブロックの異なる時間領域シンボル上に多重化され、又は同じ時間領域シンボルの異なるリソースブロック内に多重化されることができる。
【００９０】
ステップ３０１：送信ノードと受信ノードとの間で取得したデータ伝送モードによりデータを伝送する。
【００９１】
該ステップにおいて、データ伝送モードによりデータを伝送することは、データ伝送モードによりアップリンクデータと対応する制御チャネルとを伝送すること、及び/又は、データ伝送モードによりダウンリンクデータと対応する制御チャネルとを伝送することを含み、即ち、データ伝送モードにおける指定の時間周波数リソースによりデータ伝送を行えばよい。伝送は送信及び/又は受信を含む。その中、アップリンクデータはアップリンクデータチャネルによりベアラされ、アップリンク制御情報はアップリンク制御チャネルによりベアラされ、アップリンク制御情報はダウンリンクデータのフィードバック情報、及び/又はチャネル状態情報、及び/又はアップリンクデータに関連する伝送情報等を含む。伝送するデータは伝送ブロックのサイズ、及び/又は新しいデータパケット/古いデータパケット、及び/又はバージョン情報、及び/又は変調方式、及び/又は関連する参照信号情報を含む。
【００９２】
送信ノードは本発明の実施例によるデータチャネルと制御チャネルとの設定により、アップリンクデータと対応する制御チャネルとを受信し、及び/又はダウンリンクデータと対応する制御チャネルとを送信する。送信ノードは、基地局、中継伝送ノード、無線ゲートウェイ又はルータを含むがこれらに限定されない。受信ノードは本発明によるデータチャネルと制御チャネルとの設定により、ダウンリンクデータの受信及び/又はアップリンクデータの送信を行う。受信ノードは、ユーザ装置（ＵＥ）、マイクロ基地局又はホーム基地局を含むがこれらに限定されない。
【００９３】
本発明の実施例によるデータ伝送によれば、異なるシステムリソースの共有の際に、リソースの効率的な利用を確保し、異なるシステム、例えばＬＴＥ、ＷＩＦＩ、高速ダウンリンクパケットアクセス（ＨＳＤＰＡ）、３Ｇシステム、２Ｇシステム等により、スペクトル共有の時に各システムのフレーム構造の異なりによる共有リソースの利用効率の制限の問題を解決し、同時に、アップリンク・ダウンリンクリソースのより短い時間内のハンドオーバー、例えば、アップリンクサブフレームの一部の時間領域シンボルにおいてダウンリンクデータ伝送を行うこと、又はダウンリンクサブフレームの一部の時間領域シンボルにおいてアップリンクデータ伝送を行うこと等を実現する。図５は、本発明の実施例によるスペクトル共有シーンの高速データ伝送モードのデータ送信の模式図である。図５において、Ｕはアップリンクデータを伝送するリソースを示し、Ｄはダウンリンクデータを伝送するリソースを示し、ＧＰはガード期間を示す。図５に示すように、該シーンでは主にデータ伝送の時間領域長さの柔軟な変化を利用して、アイドルリソースに対して高速スケジューリングを実現し、これにより、リソースのアイドルを低減させ、リソースの利用効率を向上させる。その中、アイドルリソースについては、アップリンク・ダウンリンクサービスが対応しないため、一部のアップリンクリソースがアイドル状態になることであってもよく、このため、アイドルのアップリンクリソースを利用してダウンリンクデータを伝送し、又は、一部のダウンリンクリソースがアイドル状態であり、アイドルのダウンリンクリソースを利用してアップリンクデータを伝送し、又は、ＬＴＥシステムと他のシステムがスペクトルリソースを共有する際に、他のシステムが該リソースを使用しない時、ＬＴＥシステムは該アイドルリソースを利用してアップリンクデータ又はダウンリンクデータを伝送することができる。好ましくは、データ伝送モード情報には、１つのサブフレームにおいて、２つ又は２つ以上のデータチャネルを伝送するための時間領域エリアが存在し、即ち１msに複数回のデータ伝送のチャンスが存在することが更に含まれる場合、該ステップにおける取得したデータ伝送モードによりデータを伝送する前に、データ伝送のチャンスを区分することを更に含み、データ伝送のチャンスを区分することは、データ伝送のチャンスを連続的に区分すること、又は予め設定された間隔によりデータ伝送のチャンスを区分することを含む。その中、
データ伝送のチャンスを連続的に区分することは、
予め設定された特定の時間ウィンドウにおいて、データ伝送に用いられる可能な全ての時間領域シンボルに番号を付け、且つ順にｈ個の時間領域シンボル毎に１つの時間領域ユニットに区分し、時間領域ユニットがデータ伝送に用いられることを含む。例を挙げると、１ms内において、データ伝送に用いられる可能な時間領域シンボルが１１個であると、ｈが２である場合、６個の時間領域ユニットに区分することができ、且つ最後の１つの時間領域ユニットは１つの時間領域シンボルを含み、又は、５個の時間領域ユニットに区分することができ、且つ最後の１つの時間領域ユニットは３つの時間領域シンボルを含む。また例を挙げると、３ms内において、データ伝送に用いられる可能な時間領域シンボルが３３個であると、ｈが３である場合、１１個の時間領域ユニットに区分することができる。更に例を挙げると、２ms内において、データ伝送に用いられる可能な時間領域シンボルが２０個であると、ｈが４である場合、５個の時間領域ユニットに区分することができる。
【００９４】
予め設定された間隔によりデータ伝送のチャンスを区分することは、
仮に特定の時間ウィンドウにおいてｋ回のデータ伝送のチャンスがあることとし、残る他の時間領域シンボルが他の用途に用いられ、ｋがプリセットの値であり、例えば制御チャネル伝送、参照信号伝送、同期チャネル又はブロードキャストチャネル又はマルチキャストチャネル伝送等に用いられ、参照信号が測定に用いられてもよく、復調に用いられてもよいことを含む。例を挙げると、仮に特定の時間ウィンドウが１msであり、ｋが２であるとすると、１ms内において２回のデータ伝送のチャンスがあり、仮に１msにおいて使用可能な時間領域シンボルが１１個であり、ｈが４であるとすると、中間の使用可能な時間領域シンボルを選択してデータ伝送に用い、例えば２個目〜５個目の使用可能な時間領域シンボル、及び７個目〜１０個目の使用可能な時間領域シンボルはそれぞれデータ伝送に用いられ、１個目、６個目及び１１個目の時間領域シンボルは他の用途に用いられる。
【００９５】
前記特定の時間ウィンドウは主に前記データチャネルを伝送するための時間領域エリアを限定することに用いられる。
【００９６】
本発明の実施例によるデータ伝送方法において、データ伝送の時間領域長さは時間領域シンボルに基づいて設定されるものであり、データ伝送の時間領域長さの設定は柔軟であり、１つのサブフレームには複数回のデータ伝送のチャンスが存在することができ、データ伝送の需要がある時、データ伝送に用いられるリソースを速やかに見つけることを確保し、高速データ伝送を実現し、データ伝送の遅延を低減させる。更に、時間領域シンボルに基づいてデータ伝送の時間領域長さを設定することにより、データスケジューリングが時間領域リソースに対する要求を低減させ、より柔軟なリソース適用を実現し、スペクトル効率を向上させる。
【００９７】
送信ノードが高速データ伝送モードもサポートし、通常データ伝送モードもサポートする場合、上記方法は、送信ノードは受信ノードが高速データ伝送モードを使用するかどうかを確定することを更に含み、
送信ノードは受信ノードの予め設定された伝送情報に基づいて受信ノードが高速データ伝送モードを使用するかどうかを確定し、且つ受信ノードが高速データ伝送モードを使用することを確定した時、受信ノードにデータ伝送モード情報を送信し、データ伝送モードが高速データ伝送モードであることを受信ノードに指示することを含む。
【００９８】
受信ノードの予め設定された伝送情報は、伝送モード要求情報、装置タイプ情報、サービスタイプ情報の中の少なくとも１つを含む。
【００９９】
受信ノードが高速データ伝送モードを使用するかどうかを確定することは、
送信ノードが受信ノードからの伝送モード要求情報を受信すると、送信ノードは受信ノードが高速データ伝送モードを使用することを確定すること、又は、
送信ノードは受信ノードの装置タイプ情報に基づいて受信ノードのタイプが高速データ伝送をサポートする装置であることを確定すると、送信ノードは受信ノードが高速データ伝送モードを使用することを確定すること、又は、
送信ノードは受信ノードのサービスタイプ情報に基づいて、受信ノードのサービスタイプが超低遅延サービス、及び/又は小さいリソースブロックの需要のデータ、例えば１ms、２０ms等の超低遅延の需要のサービス等を含むことを確定すると、送信ノードは受信ノードが高速データ伝送モードを使用することを確定すること、又は、
送信ノードは受信ノードの装置タイプ情報とサービスタイプ情報に基づいて高速データ伝送モードを使用するかどうかを確定し、受信ノードの装置タイプが高速データ伝送をサポートする装置であり、且つそのサービスタイプが高速データ伝送を使用するサービスタイプであると、送信ノードは受信ノードが高速データ伝送モードを使用することを確定すること、を含む。
【０１００】
受信ノードの装置タイプが高速データ伝送をサポートする装置ではなく、又はそのサービスタイプが高速データ伝送を使用するサービスタイプではないと、送信ノードは受信ノードが通常データ伝送モードによりデータを伝送することを確定する。
【０１０１】
送信ノードは超低遅延データ伝送の需要を有する受信に対して、更にその現在のサービス要求、例えばサービス品質（Ｑｏｓ）、サービスタイプ等を判断し、該受信ノードに対して高速データ伝送モードを使用するかどうかを確定し、又は、送信ノードは受信した超低遅延データ伝送の需要を有する受信ノードからの伝送モード要求情報に基づいて、該受信ノードに対して高速データ伝送モードを使用するかどうかを確定し、受信ノードからの伝送モード要求情報を受信していない場合、該受信ノードに対して通常データ伝送モードを使用してデータを伝送する。
【０１０２】
好ましくは、図２に示すように、送信ノードは受信ノードが同時に高速データ伝送モードと通常データ伝送モードをサポートすることを確定し、通常データ伝送モードは従来のＬＴＥ規格（Ｒ８〜Ｒ１２）がサポートする伝送モード、及び対応するデータチャネルと制御チャネル伝送方式を指し、この場合、本発明の実施例による方法は、
送信ノードは同時に高速データ伝送モードと通常データ伝送モードを使用するように受信ノードを設定することを含み、受信ノードの高速データ伝送モードと通常データ伝送モードは異なるサービングセル（サービングセルをコンポーネントキャリアとも見なしてよい）にあり、又は同じサービングセルの異なるサブフレームにあり、又は同じサービングセルの同じサブフレームの異なる時間領域シンボルにあることを含む。
【０１０３】
好ましくは、メインサービングセルが通常データ伝送モードを採用し、サブサービングセルが高速データ伝送モードを採用し、及び/又は、
メインサービングセルが通常データ伝送モードを採用し、専用サービングセルが高速データ伝送モードを採用し、専用サービングセルが高速データ伝送モードに専用とされるサービングセル、又は複数のシステムのスペクトル共有（例えばＬＴＥとＴＤ‐ＳＣＤＭＡ、ＬＴＥとＷＣＤＭＡ、ＬＴＥとＣＤＭＡ等）に専用されるサービングセルであり、図６（ａ）は、本発明による高速データ伝送モードと通常データ伝送モードの多重方式の第１実施例において専用サービングセルが高速データ伝送モードを採用する模式図であり、図６（ｂ）は、本発明による高速データ伝送モードと通常データ伝送モードの多重方式の第１実施例においてメインサービングセルが通常データ伝送モードを採用する模式図であり、及び/又は、
図７に示すように、同じサービングセルの異なるサブフレーム集合は異なる伝送モードを採用し、例えば、仮にサブフレーム０、サブフレーム１、サブフレーム４、サブフレーム５、サブフレーム６及びサブフレーム９をサブフレーム集合１とし、サブフレーム２、サブフレーム３、サブフレーム７及びサブフレーム８をサブフレーム集合２とすると、サブフレーム集合１は通常データ伝送モードに対応し、サブフレーム集合２は高速データ伝送モードに対応し、及び/又は、
同じサービングセルの同じサブフレームの異なる時間領域シンボルは異なる伝送モードを採用し、例えば、サブフレームの前の２つのＯＦＤＭシンボルは通常伝送モードによりデータ伝送を行い、残るＯＦＤＭシンボルは高速伝送モードによりデータ伝送を行う。その中、図８に示すように、受信ノードはサブフレームの前のｎ個のＯＦＤＭシンボルにおいてデータ測定を行い、例えば、物理制御フォーマットインジケータチャネル（ＰＣＦＩＣＨ）、ＰＤＣＣＨ、物理ハイブリッドＡＲＱインジケータチャネル（ＰＨＩＣＨ）を測定し、且つＰＣＦＩＣＨに基づいてｎ値のサイズを確定し、残るＯＦＤＭシンボルにおいて高速データ伝送モードによりデータ伝送測定を行う。
【０１０４】
なお、本発明の実施例による上記データ伝送モードの設定方式は、複数種類の方式の組合せを採用してもよく、例えば、サブフレームの設定方式とサービングセルに基づく設定方式との組合せ、又は、サブフレーム内の異なる時間領域シンボルの設定方式とサービングセルに基づく設定方式との組合せ、又は、サブフレームの設定方式とサービングセルに基づく設定方式とサブフレーム内の異なる時間領域シンボルの設定方式との三者の組合せ等であり、ここで限定しない。
【０１０５】
制御チャネルとデータチャネルとの間の関係は１種類を有してもよく、複数種類を有してもよい。例えば、異なるリソースは異なる方式を選択し、又は、異なるサービスタイプは異なる方式を選択し、又は、異なる端末は異なる方式を選択し、又は、異なる伝送ノードは異なる方式を選択し、又は、異なるリソースに対して、サービスタイプ、端末、伝送ノードの中の複数を選択して異なる設定を行う等である。
【０１０６】
第１実施例
仮に送信ノードが中継伝送ノードであり、受信ノードがユーザ装置であるとする。該実施例において、中継伝送ノードはユーザ装置が高速データ伝送モードであることを確定した後、中継伝送ノードとユーザ装置との間に高速データ伝送モードによりデータを伝送する。高速データ伝送モードは、データ伝送の時間領域長さが時間領域シンボルに基づいて設定されたものであることを含む。
【０１０７】
なお、中継伝送ノードは高速データ伝送モードのみをサポートする伝送ノードであれば、該中継伝送ノードにアクセスされる全てのユーザ装置に対していずれも高速データ伝送モードを採用してデータを伝送し、この場合、ユーザ装置にモード設定を送信する必要がなく、該中継伝送ノードにアクセスされるユーザ装置は高速データ伝送モードを採用してデータ伝送を行う必要があることを識別することができ、
しかし、中継伝送ノードは高速データ伝送モードもサポートし、通常データ伝送モードもサポートする場合、中継伝送ノードはまずユーザ装置の伝送プリデファインド情報に基づいて、アクセスしたユーザ装置が高速データ伝送モードであるかどうかを確定する必要があり、伝送プリデファインド情報は伝送モード請求情報、ユーザ装置タイプ、サービス情報の中の少なくとも１つを含み、伝送モード請求情報はユーザ装置により送信されるものであり、ユーザ装置タイプは超低遅延データ伝送の需要を有するユーザ装置であり、サービスタイプは超低遅延サービス、小さいリソースブロックの需要のデータ等を含み、例えば、１ms、２０ms等の超低遅延の需要のサービスである。中継伝送ノードは超低遅延データ伝送の需要を有するユーザ装置に対して、更にその現在のサービス需要、例えばサービス品質（Ｑｏｓ）、サービスタイプ等を判断し、該ユーザ装置に対して高速データ伝送モードを使用するかどうかを確定し、又は、中継伝送ノードは受信した超低遅延データ伝送の需要を有するユーザ装置からの伝送モード要求情報に基づいて、該ユーザ装置に対して高速データ伝送モードを使用するかどうかを確定し、ユーザ装置からの伝送モード要求情報を受信していない場合、該ユーザ装置に対して通常データ伝送モードを使用してデータを伝送し、その後、中継伝送ノードはユーザ装置に伝送モード設定情報を送信し、伝送モードが高速データ伝送モードであることをユーザ装置に指示し、
時間領域シンボルは、直交周波数分割多重ＯＦＤＭシンボル、又はシングルキャリア周波数分割多元接続ＳＣ‐ＦＤＭＡシンボル、又は非直交シンボルを少なくとも含み、時間領域長さはｈ個の時間領域シンボルを含み、好ましくは、ｈは１、２、３、４、８、１０、１つのタイムスロットに含まれる時間領域シンボルの数、１つのサブフレームに含まれる時間領域シンボルの数、複数のサブフレームに含まれる時間領域シンボルの数の中の少なくとも１つを含む。
【０１０８】
データチャネルの時間領域長さは動的に変更してもよく、固定のサイズであってもよい。
【０１０９】
データチャネルと対応する制御チャネルとの関係は、以下の方式１〜方式５の中の１つを含む。
【０１１０】
方式１：データチャネルと対応する制御チャネルとは同じ時間領域開始位置と時間領域終止位置を有し、例えば、データチャネルの時間領域長さ及び対応する制御チャネルの時間領域長さはいずれも１つのＯＦＤＭシンボル、又は２つのＯＦＤＭシンボル、又は３つのＯＦＤＭシンボルである等、である。
方式２：データチャネルの時間領域開始位置は対応する制御チャネルの時間領域終止位置に隣接し、例えば、データチャネルの時間領域長さは１つ又は２つ又は３つのＯＦＤＭシンボルであり、対応する制御チャネルの時間領域長さは１つのＯＦＤＭシンボルである等、である。
方式３：データチャネルと対応する制御チャネルとは同じ時間領域開始位置を有し、データチャネルの時間領域長さは制御チャネルの時間領域長さ以上であり、例えば、データチャネルの時間領域長さは２つ又は３つ又は４つのＯＦＤＭシンボルであり、対応する制御チャネルの時間領域長さは１つのＯＦＤＭシンボルであり、又は、データチャネルの時間領域長さは３つ又は４つ又は５つのＯＦＤＭシンボルであり、対応する制御チャネルの時間領域長さは２つのＯＦＤＭシンボルである等、である。
方式４：データチャネルの時間領域位置は対応する制御チャネルがベアラするシグナリングに基づいて確定され、例えば、対応する制御チャネルがベアラするシグナリングは、データチャネルの時間領域開始位置が制御チャネルの時間領域開始位置に対する間隔、及び、データチャネルの時間領域終止位置が制御チャネルの時間領域終止位置に対する間隔を指示し、又は、対応する制御チャネルがベアラするシグナリングは、データチャネルの時間領域開始位置とデータチャネルの時間領域長さを指示し、又は、対応する制御チャネルがベアラするシグナリングは、データチャネルの時間領域開始位置が制御チャネルの時間領域開始位置に対する間隔、及びデータチャネルの時間領域長さを指示し、又は、対応する制御チャネルがベアラするシグナリングは、データチャネルの時間領域開始位置が制御チャネルの時間領域終止位置に対する間隔を指示し、データチャネルの時間領域長さが固定の値であり、又は、対応する制御チャネルがベアラするシグナリングは、データチャネルの時間領域開始位置が制御チャネルの時間領域終止位置に対する間隔、及びデータチャネルの時間領域長さを指示する等、である。
方式５：データチャネルの時間領域位置と制御チャネルの時間領域位置は固定の間隔を有し、例えば、固定の間隔は１つ又は３つ又は５つ又は８つ又は１０個のＯＦＤＭシンボルである等、である。
データチャネルの周波数領域位置は、対応する制御チャネルがベアラする情報により指示され、又は、対応する制御チャネルの周波数領域位置により確定され、例えば、同じであり、又は例えば制御チャネルが周波数領域位置Ｘにあり、データチャネルが周波数領域位置２＊Ｘ又は（Ｘ＋１）にある等の特定のマッピング関係を有し、又は、データチャネルの位置は基地局により予め設定される等、である。
【０１１１】
第１実施例において、高速データ伝送モードによりデータを伝送することは、中継伝送ノードが高速データ伝送モードによりアップリンクデータ及び対応する制御チャネルを受信し、及び/又は、高速データ伝送モードによりダウンリンクデータ及び対応する制御チャネルを送信することと、ユーザ装置が上記データチャネルと制御チャネルとの設定により、ダウンリンクデータの受信及び/又はアップリンクデータの送信を行うこととを含む。
【０１１２】
中継伝送ノードはユーザ装置が送信したアップリンクデータ及び対応するアップリンク制御情報を受信し、アップリンクデータはアップリンクデータチャネルによりベアラされ、アップリンク制御情報はアップリンク制御チャネルによりベアラされ、アップリンク制御情報はダウンリンクデータのフィードバック情報、ダウンリンクチャネル状態情報、前記アップリンクデータに関連する伝送情報の中の少なくとも１つを含む。
【０１１３】
高速データ伝送モードにより伝送される伝送情報は、伝送ブロックのサイズ、新しいデータパケット/古いデータパケット、バージョン情報、変調方式、関連する参照信号情報の中の少なくとも１つを含み、基地局はまず制御チャネルを復号化して伝送情報を取得し、次に伝送情報に基づいてデータチャネルを復号化する。
【０１１４】
また、データチャネルがアップリンクデータチャネルである場合、該データチャネルは対応する制御チャネルを有しなくてもよく、基地局が予め割り当てたリソース及び前記ユーザ装置自体のサービス要求に基づいて、予め定義されたフォーマットによりデータ伝送を行い、例えば、予定のサイズの伝送ブロックにより符号化、変調、送信を行い、基地局がユーザ装置の送信したデータに対するフィードバック情報に基づいてデータ再伝送を行うかどうかを確定し、
特に、中継伝送ノードに対して、ユーザ装置が同時に高速データ伝送モードと通常データ伝送モードを有するように設定し、受信ノードの高速データ伝送モードと通常データ伝送モードは異なるコンポーネントキャリア（サービングセル）にあり、又は同じコンポーネントキャリア（サービングセル）の異なるサブフレーム或いは同じサブフレームの異なる時間領域シンボルにある。
【０１１５】
好ましくは、メインサービングセルが通常データ伝送モードを採用し、サブサービングセルが高速データ伝送モードを採用し、又は、
メインサービングセルが通常データ伝送モードを採用し、専用サービングセルが高速データ伝送モードを採用し、専用サービングセルが高速データ伝送モードに専用とされるサービングセル、又は複数のシステムのスペクトル共有（例えばＬＴＥとＴＤ‐ＳＣＤＭＡ、ＬＴＥとＷＣＤＭＡ、ＬＴＥとＣＤＭＡ等）に専用とされるサービングセルであり、図６（ａ）は、本発明による高速データ伝送モードと通常データ伝送モードの多重方式の第１実施例において専用サービングセルが高速データ伝送モードを採用する模式図であり、図６（ｂ）は、本発明による高速データ伝送モードと通常データ伝送モードの多重方式の第１実施例においてメインサービングセルが通常データ伝送モードを採用する模式図であり、又は、
図７に示すように、同じサービングセルの異なるサブフレーム集合は異なる伝送モードを採用し、例えば、仮にサブフレーム０、サブフレーム１、サブフレーム４、サブフレーム５、サブフレーム６及びサブフレーム９をサブフレーム集合１とし、サブフレーム２、サブフレーム３、サブフレーム７及びサブフレーム８をサブフレーム集合２とすると、サブフレーム集合１は通常データ伝送モードに対応し、サブフレーム集合２は高速データ伝送モードに対応し、又は、
同じサービングセルの同じサブフレームの異なる時間領域シンボルは異なる伝送モードを採用し、例えば、サブフレームの前の２つのＯＦＤＭシンボルは通常伝送モードによりデータ伝送を行い、残るＯＦＤＭシンボルは高速伝送モードによりデータ伝送を行う。図８に示すように、受信ノードはサブフレームの前のｎ個のＯＦＤＭシンボルにおいてデータ測定を行い、例えば、物理制御フォーマットインジケータチャネル（ＰＣＦＩＣＨ）、ＰＤＣＣＨ、物理ハイブリッドＡＲＱインジケータチャネル（ＰＨＩＣＨ）を測定し、且つＰＣＦＩＣＨに基づいてｎ値のサイズを確定し、残るＯＦＤＭシンボルにおいて高速データ伝送モードによりデータ伝送測定を行う。
【０１１６】
第２実施例
ユーザ装置は伝送プリデファインド情報に基づいて、高速データ伝送モードによりデータを伝送するかどうかを確定し、高速データ伝送モードは、データ伝送の時間領域長さが時間領域シンボルに基づいて設定されたものであることを含む。
【０１１７】
伝送プリデファインド情報は、設定情報、アクセスシステム（伝送ノード）タイプ、サービス情報の中の少なくとも１つを含み、アクセスシステムタイプは、該システムが高速データ伝送モードをサポートすることを含み、設定情報は伝送ノードが送信した設定情報であり、サービスタイプは、超低遅延サービス、小さいリソースブロックの需要のデータ、例えば１ms、２０ms等の超低遅延の需要のサービスを含む。
【０１１８】
ユーザ装置が、自体が高速データ伝送モードによりデータを伝送するかどうかを確定することは、
ユーザ装置はまずアクセスシステムタイプに基づいて現在のシステムが高速データ伝送モードをサポートするかどうかを確定し、現在のシステムが高速データ伝送モードをサポートする場合、ユーザ装置はサービスタイプのデータの伝送を有すると、ユーザ装置は中継伝送ノードが予め割り当てたリソースにおいてデータ伝送を行い、又はダウンリンク制御情報が指示したリソースの位置においてデータ伝送を行うこと、又は、
ユーザ装置はまずアクセスシステムタイプに基づいて現在のシステムが高速データ伝送モードをサポートするかどうかを確定し、現在のシステムが高速データ伝送モードをサポートする場合、ユーザ装置はサービスタイプのデータの伝送を有すると、ユーザ装置はまず伝送モード要求情報を送信し、フィードバックされた高速データ伝送モードに関連する設定情報を受信した後、高速データ伝送モードによりデータを伝送すること、又は、
ユーザ装置はアクセスシステムタイプに基づいて現在のシステムが高速データ伝送モードのみをサポートすることを確定した場合、該システムにおいて高速データ伝送モードによりデータを伝送すること、であってもよい。
【０１１９】
本発明の実施例はデータ伝送システムを更に提供し、伝送ノードを少なくとも含み、
伝送ノードは、データ伝送モード情報を取得し、取得したデータ伝送モードによりデータを伝送するように設定され、データ伝送モード情報は高速データ伝送モードを含み、高速データ伝送モードは時間領域シンボルに基づいてデータ伝送の時間領域長さを設定することを含む。
【０１２０】
伝送ノードは送信ノード及び/又は受信ノードを含み、
送信ノードは、データ伝送モード情報を取得し、取得したデータ伝送モードによりデータを伝送するように設定され、受信ノードは、データ伝送モード情報を取得し、取得したデータ伝送モードによりデータを伝送するように設定される。データ伝送モード情報は高速データ伝送モードを含み、高速データ伝送モードは時間領域シンボルに基づいてデータ伝送の時間領域長さを設定することを含む。
【０１２１】
送信ノードは高速データ伝送モードのみをサポートする。
【０１２２】
送信ノードが高速データ伝送モードもサポートし、通常データ伝送モードもサポートする場合、
送信ノードは更に、受信ノードの予め設定された伝送情報に基づいて受信ノードが高速データ伝送モードをサポートするかどうかを確定し、且つ送信ノードが高速データ伝送モードをサポートすることを確定した時、受信ノードにデータ伝送モード情報を送信し、データ伝送モードが高速データ伝送モードであることを受信ノードに指示するように設定される。受信ノードの予め設定された伝送情報は、伝送モード要求情報、装置タイプ情報、サービスタイプ情報の中の少なくとも１つを含む。
【０１２３】
受信ノードは更に、送信ノードの指示により、高速データ伝送モードを採用してデータを伝送するように設定される。
【０１２４】
送信ノードは更に、受信ノードが高速データ伝送モードをサポートしないことを確定した場合、受信ノードが通常データ伝送モードによりデータを伝送することを確定するように設定され、対応的に、受信ノードは更に、送信ノードの指示により、通常データ伝送モードを採用してデータを伝送するように設定される。
【０１２５】
送信ノードは更に、受信ノードが同時に高速データ伝送モードと通常データ伝送モードをサポートすることを確定した場合、同時に高速データ伝送モードと通常データ伝送モードをサポートするように受信ノードを設定するように設定され、対応的に、受信ノードは送信ノードの設定により、高速データ伝送モード及び/又は通常データ伝送モードのデータ伝送を行う。
【０１２６】
送信ノードは基地局、中継伝送ノード、無線ゲートウェイ又はルータを含むがこれらに限定されなく、受信ノードはＵＥ、マイクロ基地局又はホーム基地局を含むがこれらに限定されない。
【０１２７】
他の実施例はデータ伝送ソフトウェアを更に提供し、該ソフトウェアは上記実施例及び好ましい実施例に記載の技術的手段を実行することに用いられる。
【０１２８】
他の実施例は記憶媒体を更に提供し、該記憶媒体には上記ソフトウェアが記憶され、該記憶媒体は光ディスク、フロッピーディスク、ハードディスク、書き換え型メモリ等を含むがこれらに限定されない。
【０１２９】
もちろん、当業者が理解するように、上記本発明の各モジュール又は各ステップは汎用のコンピュータ装置により実現されることができ、それらは単一のコンピュータ装置に集中し、又は複数のコンピュータ装置からなるネットワークに分布してよく、選択的に、それらはコンピュータ装置が実行可能なプログラムコードにより実現されることができ、それらを記憶装置に記憶してコンピュータ装置により実行されることができ、又はそれらをそれぞれ各集積回路モジュールに製作し、又はそれらにおける複数のモジュール或いはステップを単一の集積回路モジュールを製作して実現することができる。このように、本発明はいずれの特定形式のハードウェアとソフトウェアの組み合わせに限定されたものではない。
【０１３０】
上記は本発明の好ましい実例だけであり、本発明の保護範囲を限定するためのものではない。本発明の精神と原則にある限り、行ったいずれかの修正、等同置き換え、改善等は、いずれも本発明の保護範囲に含まれるべきである。
【産業上の利用可能性】
【０１３１】
本発明の実施例によれば、データ伝送遅延を低減させ、特定の適用シーンでの伝送遅延要求を満たし、データの高速伝送を実現することができる。
【図１】
0006377763.tif 000004
【図２】
0006377763.tif 000005
【図３】
0006377763.tif 000006
【図４（ａ）】
0006377763.tif 000007
【図４（ｂ）】
0006377763.tif 000008
【図４（ｃ）】
0006377763.tif 000009
【図４（ｄ）】
0006377763.tif 000010
【図４（ｅ）】
0006377763.tif 000011
【図５】
0006377763.tif 000012
【図６（ａ）】
0006377763.tif 000013
【図６（ｂ）】
0006377763.tif 000014
【図７】
0006377763.tif 000015
【図８】
0006377763.tif 000016